(57)【要約】      （修正有）【課題】掃除がし易く、また、体が小さく首が短い仔牛や子馬に適した家畜用給水器を提供する。【解決手段】後外壁３３に外へ延びる後フランジ３６を設ける。前外壁３１にはフランジを設けない。基礎ボルト３８に引き抜き力が加わる。この力に耐えるように、後フランジ３６近傍のコンクリート厚さＴ１を確保する必要がある。一方、前外壁３１には基礎ボルトを締結しないため、前外壁３１近傍のコンクリート厚さＴ２は小さくすることができる。首が長い成牛であれば、後外壁３３側から水を飲むことも、前外壁３１側から水を飲むことも可能であるが、首が短い仔牛であれば、前外壁３１側から水を飲むことになる。よって、前外壁３１にフランジを設けないことが仔牛に取って好都合となる。【選択図】図４
0003192295.tif 000002
【実用新案登録請求の範囲】
【請求項１】
繊維強化プラスチックで造られ、底と側壁で構成される水槽を備えると共に、前記側壁を外側から囲う外壁を備え牛や馬への給水に供する家畜用給水器であって、
前記側壁は、前壁、後壁及び左・右壁からなり、前記外壁は、前外壁、後外壁、左外壁及び右外壁からなり、
前記水槽は、前記前壁の長さが、前記左・右壁の長さの（４〜５）倍となる横長水槽であり、前記底と前記側壁が交わる部位、前記前壁と前記左・右壁が交わる部位、及び前記後壁と前記左・右壁が交わる部位は、４０〜７５ｍｍのアール寸法とされたことを特徴とする家畜用給水器。
【請求項２】
前記底の下面に、前記水槽に溜められる飲み水を温めるヒータが貼り付けられており、  このヒータは、前記底の中央よりも前記前壁寄りの部位に、前記前壁に沿うように設けられていることを特徴とする請求項１記載の家畜用給水器。
【請求項３】
前記左・右外壁の下端に外へ張り出す左・右フランジを備え、前記後壁の下端に外へ張り出す後フランジを備え、前記左・右フランジと前記後フランジに基礎ボルトを通すようにしたことを特徴とする請求項１又は請求項２記載の家畜用給水器。
【請求項４】
前記底には、前記左壁の近傍に左排水穴を有すると共に前記右壁の近傍に右排水穴を有しており、
前記底には、左右中央が高く、前記左・右排水穴が低くなるように、勾配がつけられていることを特徴とする請求項１〜３のいずれか１項記載の家畜用給水器。
【考案の詳細な説明】
【技術分野】
【０００１】
本考案は、牛や馬に水を飲ませる家畜用給水器に関する。
【背景技術】
【０００２】
家畜を飼育する上で、家畜用給水器は必須である。単なる水槽では不十分であり、牛や馬に適した給水器が望まれ、従来から種々の構造の給水器が提案されてきた（例えば、特許文献１（図２）参照。）。
【０００３】
特許文献１を次図に基づいて説明する。
図６は従来の家畜用給水器の断面図であり、底部１０１と円筒部１０２とからなる桶状の牛用給水器１０３は、塩化ビニル等の合成樹脂（特許文献１、段落番号［０００８］第４行）で造られ、上下に仕切る仕切り蓋１０４と、この仕切り蓋１０４と底部１０１の間に配置され円筒部１０２より小径の内筒１０５とを備えている。
【０００４】
給排水管１０６で内筒１０５内に供給された水は、スリット１０７及び穴１０８を通って内筒１０５の外へ導かれ、仕切り蓋１０４に設けた穴１０９を通って、仕切り蓋１０４の上に導かれる。
【０００５】
ところで、牛は口の周りに餌の一部が付いた状態で、水を飲むことがある。すると、牛用給水器１０３内に餌の一部が落下して仕切り蓋１０４上に溜まる。長い間には、餌の一部が穴１０９や仕切り蓋１０４の周囲の隙間を通じて落下し、底部１０１上に溜まる。特に、仕切り蓋１０４の周囲隙間を通じて落下する餌は、底部１０１と円筒部１０２とが交わる内隅部１１１に集中する。
この内隅部１１１は直角断面であるため、たわしやスポンジが隅まで入り難い。結果、清掃時間が長くなる上に清浄度は低い。対策として、清掃が容易である構造が求められる。
【０００６】
ところで、牛用給水器１０３は、桶状であるため、１頭の牛に１器準備される。頭数が多い大規模牛舎では、多数器を配置する必要がある。大規模牛舎では、複数頭が同時に使用できるような給水器が必要になる。そこで、そのような用途に適した給水器が知られている（例えば、特許文献２（図３、図４）参照。）。
る。
【０００７】
特許文献２を次図に基づいて説明する。
図７は従来の別の家畜用給水器の断面図であり、図７（ａ）に示すように、家畜用給水器１２０は、底板１２１と、左・右壁１２２、１２３と、後壁１２４と、前壁（図７（ｂ）、符号１２５）で形成される水槽部１２６が主要素となる。
【０００８】
図７（ａ）のｂ−ｂ線断面図である図７（ｂ）に示すように、後壁１２４から前壁１２５へ斜め板１２７が渡されている。斜め板１２７の前部は樋１２８であり、斜め板１２７を落下する異物が集められる。底板１２１の上にヒータ１２９が配置される。
【０００９】
図７（ａ）にて、水槽部１２６に隣接して配置される貯水部１３０から通穴１３１を介して水が水槽部１２６へ供給される。斜め板１２７を落下した異物は樋１２８を滑り落ち、一端の排水穴１３２から水と共に排出される。
【００１０】
斜め板１２７と左壁１２２が交わる部位１３３は略直角である。斜め板１２７と右壁１２３が交わる部位１３４も略直角である。直角断面であるため、たわしやスポンジが入りにくく、清掃が難しい。清掃が容易である構造が求められる。
【００１１】
また、一箇所の排水穴１３２から排水するため、排水に時間が掛かる。迅速な排水が望まれる。
加えて、図７（ｂ）に示すヒータ１２９に通電すると、斜め板１２７が平均的に温められるものの、熱のかなりの部分が前壁１２５や後壁１２４から外へ逃げる。ヒータ１２９の配置や温め方に工夫が望まれる。
【先行技術文献】
【特許文献】
【００１２】
【特許文献１】特開平１０−１７４５３５号公報
【特許文献２】実用新案登録第３１１２６８０号公報
【考案の概要】
【考案が解決しようとする課題】
【００１３】
本考案は、上記した諸々の要望に応えるものであるが、特に掃除がし易い家畜用給水器を提供することを課題とする。
【課題を解決するための手段】
【００１４】
請求項１に係る考案は、繊維強化プラスチックで造られ、底と側壁で構成される水槽を備えると共に、前記側壁を外側から囲う外壁を備え牛や馬への給水に供する家畜用給水器であって、
前記側壁は、前壁、後壁及び左・右壁からなり、前記外壁は、前外壁、後外壁、左外壁及び右外壁からなり、
前記水槽は、前記前壁の長さが、前記左・右壁の長さの（４〜５）倍となる横長水槽であり、前記底と前記側壁が交わる部位、前記前壁と前記左・右壁が交わる部位、及び前記後壁と前記左・右壁が交わる部位は、４０〜７５ｍｍのアール寸法とされたことを特徴とする。
【００１５】
請求項２に係る考案では、底の下面に、水槽に溜められる飲み水を温めるヒータが貼り付けられており、このヒータは、底の中央よりも前壁寄りの部位に、前壁に沿うように設けられていることを特徴とする。
【００１６】
請求項３に係る考案では、左・右外壁の下端に外へ張り出す左・右フランジを備え、後壁の下端に外へ張り出す後フランジを備え、左・右フランジと後フランジに基礎ボルトを通すようにしたことを特徴とする。
【００１７】
請求項４に係る考案では、底に、左壁の近傍に左排水穴を有すると共に右壁の近傍に右排水穴を有しており、底に、左右中央が高く、左・右排水穴が低くなるように、勾配がつけられていることを特徴とする。
【考案の効果】
【００１８】
請求項１に係る考案では、底と側壁が交わる部位、前壁と左・右壁が交わる部位、及び後壁と左・右壁が交わる部位は、４０〜７５ｍｍのアール寸法とされており、このアール寸法であれば、たわしやスポンジが十分に入り込み、清掃が容易となる。
【００１９】
なお、４０ｍｍ未満であると、大きなたわしが入りにくくなる。大きなたわしと小さなたわしを準備する必要があり、不便である。７５ｍｍを超えると水槽の容積が小さくなる。よって、４０〜７５ｍｍのアール寸法が適当である。
【００２０】
また、前壁の長さが、左・右壁の長さの（４〜５）倍となる横長水槽であるため、同時に３〜５頭の家畜の給水が可能となり、大規模牛舎であっても、給水器の設置基数を少なくすることができる。
【００２１】
請求項２に係る考案では、底の下面に、ヒータが貼り付けられている。寒冷地にあっても、飲み頃の温度に水を温めることができる。ヒータが底に直接貼られているので、効率よく底を温めることができる。
【００２２】
加えて、請求項２では、ヒータは、底の中央よりも前壁寄りの部位に、前壁に沿うように設けられている。
ヒータは、一般に底の中央に設けられるが、上昇流れが中央に発生し、この上昇流れの先が前壁への下降流れと後壁への下降流れとなる。流れが中央上部で前後に分かれるため、飲み水が乱流となる。流れが乱れると家畜に違和感を与える心配がある。
この点、本考案では、ヒータが前壁に寄っているため、前壁に沿って上昇し、上面で前壁から後壁に向かい、後壁に沿って下降する循環流れが発生する。中央上部では層流となり、流れが一様で穏やかであるため、家畜に違和感を与える心配がない。
【００２３】
請求項３に係る考案では、前外壁にフランジを備えていない。フランジがないため、家畜を他の壁よりも前外壁に接近させることができる。特に体が小さく首が短い仔牛や子馬に適した給水器が提供される。
【００２４】
請求項４に係る考案では、底に、左・右排水穴を設けたので、排水穴が１個である場合に比べて、排水時間を大幅に短縮することができる。
【図面の簡単な説明】
【００２５】
【図１】本考案に係る家畜用給水器の平面図である。
【図２】図１の２−２線断面図である。
【図３】図１の３−３線断面図である。
【図４】図１の４−４線断面図である。
【図５】ヒータの作用図である。
【図６】従来の家畜用給水器の断面図である。
【図７】従来の別の家畜用給水器の断面図である。
【考案を実施するための形態】
【００２６】
本考案の実施の形態を添付図に基づいて以下に説明する。なお、図面は符号の向きに見るものとする。
【実施例】
【００２７】
図１に示すように、家畜用給水器１０は、繊維強化プラスチック（ＦＲＰ）で造られ、底２１とこの底２１を囲う側壁２２とからなり縦横比が１：（４〜５）である横長水槽２０を備え、この横長水槽２０を囲う外壁３０を備えている。横長水槽２０であるため、４頭前後の牛や馬に同時に水を飲ませることができる。側壁２２は、前壁２３、左壁２４、後壁２５及び右壁２６からなる。
【００２８】
この種の給水器は、錆が発生しないように、ステンレス鋼や耐食めっき鋼で造られ、重量は８０ｋｇ前後になる。運搬にはクレーンが必要となる。
この点、本考案ではＦＲＰで造られ、重量は４０ｋｇ前後であるため、大人２人で運搬が可能となる。
【００２９】
前壁２３と左壁２４が交わる部位は５０ｍｍのアール寸法Ｒ１とされ、同様に、左壁２４と後壁２５が交わる部位は５０ｍｍのアール寸法Ｒ２とされ、後壁２５と右壁２６が交わる部位は５０ｍｍのアール寸法Ｒ３とされ、右壁２６と前壁２３が交わる部位は５０ｍｍのアール寸法Ｒ４とされる。
【００３０】
アール寸法Ｒ１〜Ｒ４は、５０ｍｍであるため、たわしやスポンジが隅まで進入し、掃除漏れの心配が無く、掃除が容易となる。ウエス（布）で汚れを拭き取ることも容易にできる。アール寸法Ｒ１〜Ｒ４は、５０ｍｍが好適であるが、４０ｍｍ〜７５ｍｍであればよい。
【００３１】
外壁３０は、前外壁３１、左外壁３２、後外壁３３及び右外壁３４からなる。
左外壁３２に外へ張り出す左フランジ３５を備え、後外壁３３に外へ張り出す後フランジ３６を備え、右外壁３４に外へ張り出す右フランジ３７を備え、各々が基礎ボルト３８でコンクリート台３９に固定される。左フランジ３５は左外壁３２の下縁を補強し、後フランジ３６は後外壁３３の下縁を補強し、右フランジ３７は右外壁３４の下縁を補強する役割をも果たす。
一方、前外壁３１にはフランジを設けない。このことが構造的特長の一つである。
【００３２】
図２に示すように、左壁２４の上端と左外壁３２の上端は左上縁４１で繋がっており、右壁２６の上端と右外壁３４の上端は右上縁４２で繋がっている。左壁２４と底２１が交わる部位は５０ｍｍのアール寸法Ｒ５とされ、右壁２６と底２１が交わる部位は５０ｍｍのアール寸法Ｒ６とされる。アール寸法Ｒ５、Ｒ６は、５０ｍｍが好適であるが、４０ｍｍ〜７５ｍｍであればよい。
【００３３】
底２１に左排水穴４３と右排水穴４４を有する。なお、左排水穴４３は左壁２４の近傍に設けられ、右排水穴４４は右壁２６の近傍に設けられる。
そして、底２１は、左右中央が高く、左・右排水穴４３、４４が低くなるように、勾配がつけられている。排水の際には、水が矢印（１）、（２）のように流れて左排水穴４３と右排水穴４４から排出される。
【００３４】
左右中央に１個の排水穴のみを設けた場合より、本考案のように２つの排水穴４３、４４を設けると、排水時間が半分以下となる。１個のみの排水穴の場合は、排水時間が１分前後であった。本例のように２つの排水穴４３、４４を設けると２０秒前後で排水が完了した。
【００３５】
図３に示すように、水道管に繋がる給水管４６の先に、エルボー４７を介してフロート弁５０が取付けられる。フロート弁５０は、特殊なオンオフ弁であるボールタップ５１と、このボールタップ５１を開閉する浮き５２とからなる。水位が下がって浮き５２が下がると、リンク５３を介してボールタップ５１が弁開状態になり、給水が行われる。給水に伴って水位が上がり、浮き５２が所定の高さに上昇するとリンク５３を介してボールタップ５１が閉じられる。
【００３６】
牛が接触しないように、フロート弁５０は、金属板を折り曲げて造られる、コ字断面のガード４８で囲う。好ましくは、ガード４８を、ウレタンゴムなどのクッション材４９で覆う。
【００３７】
図４に示すように、前壁２３の上端と前外壁３１の上端は前上縁５４で繋がっており、後壁２５の上端と後外壁３３の上端は後上縁５５で繋がっている。前壁２３と底２１が交わる部位は５０ｍｍのアール寸法Ｒ７とされ、後壁２５と底２１が交わる部位は５０ｍｍのアール寸法Ｒ８とされる。アール寸法Ｒ７、Ｒ８は、５０ｍｍが好適であるが、４０ｍｍ〜７５ｍｍであればよい。
【００３８】
底２１の下面に、シリコンラバーヒータを呼ばれるシート状のヒータ５７が貼り付けられている。ヒータ５７は中央に設けてもよいが、この例では、前壁２３寄りにオフセットして配置されている。その上で、底２１の下面、前壁２３と前後壁２５との間、後壁２５と後後壁２５との間等に発泡断熱材５８が吹付けられている。結果、横長水槽２０は外から保温される。
【００３９】
後外壁３３は下部に後フランジ３６を備えているが、前外壁３１はフランジを備えていない。
前外壁３１は、下部に凹状のビード５９を備え、このビード５９が補強作用を発揮する。
【００４０】
基礎ボルト３８をコンクリート台３９に埋設し、この基礎ボルト３８に後フランジ３６を締結する。基礎ボルト３８に引き抜き力が加わる。この力に耐えるように、後フランジ３６近傍のコンクリート厚さＴ１を確保する必要がある。一方、前外壁３１には基礎ボルトを締結しないため、前外壁３１近傍のコンクリート厚さＴ２は小さくすることができる。
【００４１】
首が長い成牛であれば、後外壁３３側から水を飲むことも、前外壁３１側から水を飲むことも可能であるが、首が短い仔牛であれば、前外壁３１側から水を飲むことになる。よって、前外壁３１にフランジを設けないことが仔牛に取って好都合となる。
【００４２】
図５（ａ）に示すように、底２１の中央（前壁２３と後壁２５の中央）に、ヒータ５７を配置することは差し支えない。ただし、上昇流れ６１、６１が中央に発生し、この上昇流れ６１の先が前壁２３に沿う下降流れ６２と後壁２５に沿う下降流れ６３となる。流れが中央上部で前後に分かれるため、飲み水が乱流となる。牛６４が神経質である場合は、改良の余地がある。
【００４３】
図５（ｂ）に示すように、ヒータ５７が前壁２３に寄っているため、水は、前壁２３に沿って上昇し、上面で前壁２３から後壁２５に向かい、後壁２５に沿って下降する循環流れ６５が発生する。中央上部では層流となり、牛６４に違和感を与える心配がなくなる。
よって、図５（ａ）より、図５（ｂ）が推奨される。
【００４４】
尚、本考案の家畜用給水器は、牛に好適であるが、馬や羊、山羊などの家畜に広く適用できる。
【産業上の利用可能性】
【００４５】
本考案の家畜用給水器は、牛に好適である。
【符号の説明】
【００４６】
１０…家畜用給水器、２０…横長水槽、２１…底、２２…側壁、２３…前壁、２４…左壁、２５…後壁、２６…右壁、３０…外壁、３１…前外壁、３２…左外壁、３３…後外壁、３４…右外壁、３５…左フランジ、３６…後フランジ、３７…右フランジ、３８…基礎ボルト、４３…左排水穴、４４…右排水穴、５７…ヒータ、６４…牛。
【図１】
0003192295.tif 000003
【図２】
0003192295.tif 000004
【図３】
0003192295.tif 000005
【図４】
0003192295.tif 000006
【図５】
0003192295.tif 000007
【図６】
0003192295.tif 000008
【図７】
0003192295.tif 000009
【手続補正書】
【提出日】平成26年5月30日(2014.5.30)
【手続補正１】
【補正対象書類名】明細書
【補正対象項目名】００３８
【補正方法】変更
【補正の内容】
【００３８】
底２１の下面に、シリコンラバーヒータを呼ばれるシート状のヒータ５７が貼り付けられている。ヒータ５７は中央に設けてもよいが、この例では、前壁２３寄りにオフセットして配置されている。その上で、底２１の下面、前壁２３と前外壁３１との間、後壁２５と後外壁３３との間等に発泡断熱材５８が吹付けられている。結果、横長水槽２０は外から保温される。